(57)【要約】【課題】本発明は、加湿能力が大きく、加湿量の調節が容易な加湿器を提供することにその目的がある。これを具現するための本発明の加湿器は、室内から流入した室内空気を再び室内に排出させるための室内空気流路、前記室内空気流路上に備えられて前記室内空気が通過する加湿領域と、前記加湿領域に供給する水分を吸着するための吸着領域、回転によって前記加湿領域と吸着領域を交互に通過しながら前記吸着領域で水分を吸着して前記加湿領域で吸着した水分が蒸発する吸着材からなる加湿ローター、前記吸着領域を通過するように備えられ、前記吸着領域に水分を供給する加湿空気が流動する加湿空気流路、前記加湿空気流路を流動する加湿空気に水分を供給するための加湿部を含む。【選択図】図１
2018534517.tif 000002
【特許請求の範囲】
【請求項１】
室内から流入した室内空気を再び室内に排出させるための室内空気流路（１５０）、
前記室内空気流路（１５０）上に備えられて前記室内空気が通過する加湿領域（２１０）と、前記加湿領域（２１０）に供給する水分を吸着するための吸着領域（２２０）、回転によって前記加湿領域（２１０）と吸着領域（２２０）とを交互に通過しながら前記吸着領域（２２０）で水分を吸着して前記加湿領域（２１０）で吸着した水分が蒸発する吸着材からなる加湿ローター（２００）、
前記吸着領域（２２０）を通過するように備えられ、前記吸着領域（２２０）に水分を供給する加湿空気が流動する加湿空気流路（３５０、３５０−１）、
前記加湿空気流路（３５０、３５０−１）を流動する加湿空気に水分を供給するための加湿部（３３０）、
前記加湿ローター（２００）の回転および加湿部（３３０）による水分の供給を制御する制御部、を含む、
加湿器。
【請求項２】
前記室内空気は、ヒーター（１４０）により加熱された後、前記加湿領域（２１０）に流動することを特徴とする、請求項１に記載の加湿器。
【請求項３】
前記室内空気流路（１５０）は、前記加湿領域（２１０）の入口端に連結される第１室内空気流路（１５１）と、前記加湿領域（２１０）の出口端に連結される第２室内空気流路（１５２）と、からなり、前記第２室内空気流路（１５２）を流動する空気の熱を前記第１室内空気流路（１５１）を流動する空気に伝達するための熱回収熱交換器（１２０）が備えられたことを特徴とする、請求項２に記載の加湿器。
【請求項４】
前記室内空気を流動させるために前記室内空気流路（１５０）上に備えられた第１送風機（１３０）、前記加湿空気を流動させるために前記加湿空気流路（３５０、３５０−１）上に備えられた第２送風機（３１０）、をさらに含むことを特徴とする、請求項１に記載の加湿器。
【請求項５】
前記加湿部（３３０）は、その内部空間（３３１ａ）が前記加湿空気流路（３５０、３５０−１）と連通するように連結された加湿筒（３３１）を含み、前記加湿空気が前記加湿筒（３３１）の内部空間（３３１ａ）を通過する過程で前記加湿空気に水分が供給されることを特徴とする、請求項１に記載の加湿器。
【請求項６】
前記加湿筒（３３１）の内部空間（３３１ａ）には加湿フィルタ（３３２）が備えられ、前記加湿空気が前記加湿フィルタ（３３２）を通過しながら加湿フィルタ（３３２）の水分を蒸発させることを特徴とする、請求項５に記載の加湿器。
【請求項７】
前記加湿フィルタ（３３２）は、前記加湿筒（３３１）の内部に満たされた水に一部が浸漬したことを特徴とする、請求項６に記載の加湿器。
【請求項８】
前記加湿筒（３３１）の水の水位を感知するための水位感知センサーが備えられ、前記加湿筒（３３１）に前記水を供給するための水供給部（３３４、３３５）が備えられ、前記水位感知センサーで測定された水位に応じて前記水供給部（３３４、３３５）による水の供給を制御することを特徴とする、請求項７に記載の加湿器。
【請求項９】
前記加湿フィルタ（３３２）に水を噴射するための噴射手段が備えられたことを特徴とする、請求項６に記載の加湿器。
【請求項１０】
前記加湿筒（３３１）に水を供給するための供給水槽（３３５）と、前記加湿筒（３３１）から排出された水を貯蔵するための排水水槽（３３８）が備えられ、前記加湿筒（３３１）と供給水槽（３３５）との間には前記水の供給の有無を制御するための供給バルブ（３３４）が備えられ、前記加湿筒（３３１）と排水水槽（３３８）との間には前記水の排水の有無を制御するための排水バルブ（３３７）が備えられたことを特徴とする、請求項５に記載の加湿器。
【請求項１１】
前記加湿部（３３０）と前記吸着領域（２２０）の入口端との間には前記加湿空気から水滴を分離するための液滴分離器（３４０）が前記加湿空気流路（３５０、３５０−１）上に備えられたことを特徴とする、請求項１に記載の加湿器。
【請求項１２】
前記吸着領域（２２０）の出口端と前記加湿部（３３０）との間にはフィルタ（３２０）が備えられたことを特徴とする、請求項１に記載の加湿器。
【請求項１３】
前記加湿空気流路（３５０）は閉流路からなることを特徴とする、請求項１に記載の加湿器。
【請求項１４】
前記加湿空気流路（３５０）に紫外線を照射する紫外線殺菌ランプが備えられたことを特徴とする、請求項１３に記載の加湿器。
【請求項１５】
前記加湿空気流路（３５０−１）の一側端と他側端は室外と連通することを特徴とする、請求項１に記載の加湿器。
【請求項１６】
前記室内空気流路（１５０）上には前記室内空気を流動させるための第１送風機（１３０）が備えられ、前記第１送風機（１３０）の送風ファン（１３２）を回転させるためのモーター（１３１）が前記室内空気流路（１５０）に備えられ、前記室内空気は前記モーター（１３１）を通過しながら予熱された後、前記ヒーター（１４０）に供給されることを特徴とする、請求項２に記載の加湿器。
【請求項１７】
前記室内空気を流動させるために前記室内空気流路（１５０）上に備えられた第１送風ファン（４４２）、前記加湿空気を流動させるために前記加湿空気流路（３５０、３５０−１）上に備えられた第２送風ファン（４４３）、前記第１送風ファン（４４２）と第２送風ファン（４４３）とを一体に連結するモーター軸（４４４）、前記モーター軸（４４４）に連結されて第１送風ファン（４４２）と第２送風ファン（４４３）とを一体に回転させるためのモーター（４４１）からなる第３送風機（４４０）が備えられ、前記モーター軸（４４４）は前記室内空気流路（１５０）と加湿空気流路（３５０、３５０−１）との間を遮断する隔壁（４２０）を貫通することを特徴とする、請求項２に記載の加湿器。
【請求項１８】
前記モーター（４４１）は前記室内空気流路（１５０）に備えられ、前記室内空気は前記モーター（４４１）を通過しながら予熱された後、前記ヒーター（１４０）に供給されることを特徴とする、請求項１７に記載の加湿器。
【請求項１９】
前記加湿空気を流動させるために前記加湿空気流路（３５０、３５０−１）上には第２送風機（３１０）が備えられ、前記第２送風機（３１０）は加湿運転終了後に前記加湿部（３３０）の内部を乾燥させるために設定された時間の間作動することを特徴とする、請求項１に記載の加湿器。
【請求項２０】
前記吸着材の表面には高分子除湿剤がコーティングされたことを特徴とする、請求項１に記載の加湿器。
【発明の詳細な説明】
【技術分野】
【０００１】
本発明は加湿器に関するものであって、より詳細には室内空気に湿気を供給する加湿器に関するものである。
【背景技術】
【０００２】
加湿器は室内の湿度を高くするために人工的に湿気を生成して噴霧する機器である。
【０００３】
このような従来の加湿器には、水槽に貯蔵された水を所定の温度に加熱することによって発生する水蒸気を室内に噴霧する加熱式加湿器、水槽に貯蔵された水を超音波振動させて微細化された水の粒子を室内に噴霧する超音波式加湿器、濡れた多孔質のフィルターに水を振りまいたりディスクタイプの加湿フィルターの一部分を水槽に浸漬させた状態で回転させることによって、加湿フィルタの表面に付着した水を送風によって気化させる気化式加湿器が知られている。
【０００４】
前記従来の加湿器は、加湿器の作動が繰り返されるにつれて、加湿フィルタや水槽に水垢またはスケールがたまってくる。前記スケールは金属イオン（カルシウムイオン、マグネシウムイオンなど）が含まれた水道水が空気を加湿するための物質として使われる場合に、水道水が空気と接触する過程で水道水に含まれた金属イオンと空気が化学反応を起こして生成される物質である。このようなスケールが、時間の経過につれて加湿フィルタや水槽に積もると、加湿器の性能が低下する問題点がある。
【０００５】
また、前記従来の加湿器のうち外部空気が加湿装置を通過するようになっている加湿器は、たとえ汚染物質をフィルタリングする清浄エアーフィルタや殺菌装置などが含まれているとしても、フィルタなどの消耗品を取り換えることなく使用したり、周期的に清掃を行わない場合には、常に湿気に露出している流路と加湿フィルタなどに細菌が繁殖するようになる問題点がある。
【０００６】
また、細菌で汚染した水が殺菌されていない状態で室内に噴霧されるため、人体（特に、患者や幼児の人体）に極めて有害であり、殺菌されたとしても水に残っている悪臭などが加湿時に室内に広がり得る問題点がある。
【０００７】
一方、従来の加湿器として吸着式（Ｄｅｓｉｃｃａｎｔ）加湿器が知られている。前記吸着式加湿器は、吸着材を使って外気の水分を吸収した後、熱を使って吸収した水分を再生して室内に供給する方式であって、無給水加湿が可能であり、加湿装置の内部が衛生的であるという長所がある。
【０００８】
しかし、従来の吸着式加湿器は加湿能力に比べて体積が大きく、外気の温度と湿度によって加湿能力の変化が激しく、冬季に温度が低くて絶対湿度が低い国の場合には多くの加湿量が必要であるが、吸着式加湿器は相対的に加湿能力が小さいため商用化させることはできない問題点がある。
【０００９】
従来のディスクタイプの気化式加湿器の一例として、大韓民国登録実用新案第２０−４６８４０３号が公開されている。
【発明の概要】
【発明が解決しようとする課題】
【００１０】
本発明は前述した諸般問題点を解決するために案出されたものであって、加湿能力が大きく、加湿量の調節が容易な加湿器を提供することにその目的がある。
【００１１】
本発明の他の目的は、スケールによる加湿能力が低下することを防止でき、加湿フィルターの細菌繁殖を防止することができ、水槽の汚染を防止できる加湿器を提供することにある。
【００１２】
本発明の他の目的は、ヒーターの消費電力を減少させることができる加湿器を提供することにある。
【課題を解決するための手段】
【００１３】
前述した目的を達成するための本発明の加湿器は、室内から流入した室内空気を再び室内に排出させるための室内空気流路１５０、前記室内空気流路１５０上に備えられて前記室内空気が通過する加湿領域２１０と、前記加湿領域２１０に供給する水分を吸着するための吸着領域２２０、回転によって前記加湿領域２１０と吸着領域２２０を交互に通過しながら前記吸着領域２２０で水分を吸着して前記加湿領域２１０で吸着した水分が蒸発する吸着材からなる加湿ローター２００、前記吸着領域２２０を通過するように備えられ、前記吸着領域２２０に水分を供給する加湿空気が流動する加湿空気流路３５０、３５０−１、前記加湿空気流路３５０、３５０−１を流動する加湿空気に水分を供給するための加湿部３３０、前記加湿ローター２００の回転および加湿部３３０による水分の供給を制御する制御部を含む。
【００１４】
前記室内空気はヒーター１４０により加熱された後、前記加湿領域２１０に流動するものであり得る。
【００１５】
前記室内空気流路１５０は、前記加湿領域２１０の入口端に連結される第１室内空気流路１５１と、前記加湿領域２１０の出口端に連結される第２室内空気流路１５２からなり、前記第２室内空気流路１５２を流動する空気の熱を前記第１室内空気流路１５１を流動する空気に伝達するための熱回収熱交換器１２０が備えられたものであり得る。
【００１６】
前記室内空気を流動させるために前記室内空気流路１５０上に備えられた第１送風機１３０、前記加湿空気を流動させるために前記加湿空気流路３５０、３５０−１上に備えられた第２送風機３１０をさらに含むことができる。
【００１７】
前記加湿部３３０はその内部空間３３１ａが前記加湿空気流路３５０、３５０−１と連通するように連結された加湿筒３３１を含み、前記加湿空気が前記加湿筒３３１の内部空間３３１ａを通過する過程で前記加湿空気に水分が供給されるものであり得る。
【００１８】
前記加湿筒３３１の内部空間３３１ａには加湿フィルタ３３２が備えられ、前記加湿空気が前記加湿フィルタ３３２を通過しながら加湿フィルタ３３２の水分を蒸発させるもので構成され得る。
【００１９】
前記加湿フィルタ３３２は前記加湿筒３３１の内部に満たされた水に一部が浸漬したものであり得る。
【００２０】
前記加湿筒３３１の水の水位を感知するための水位感知センサーが備えられ、前記加湿筒３３１に前記水を供給するための水供給部３３４、３３５が備えられ、前記水位感知センサーで測定された水位に応じて前記水供給部３３４、３３５による水の供給を制御するものであり得る。
【００２１】
前記加湿フィルタ３３２に水を噴射するための噴射手段が備えられ得る。
【００２２】
前記加湿筒３３１に水を供給するための供給水槽３３５と、前記加湿筒３３１から排出された水を貯蔵するための排水水槽３３８が備えられ、前記加湿筒３３１と供給水槽３３５との間には前記水の供給の有無を制御するための供給バルブ３３４が備えられ、前記加湿筒３３１と排水水槽３３８との間には前記水の排水の有無を制御するための排水バルブ３３７が備えられ得る。
【００２３】
前記加湿部３３０と前記吸着領域２２０の入口端との間には前記加湿空気から水滴を分離するための液滴分離器３４０が前記加湿空気流路３５０、３５０−１上に備えられ得る。
【００２４】
前記吸着領域２２０の出口端と前記加湿部３３０の間にはフィルタ３２０が備えられ得る。
【００２５】
前記加湿空気流路３５０は閉流路で形成され得る。
【００２６】
前記加湿空気流路３５０に紫外線を照射する紫外線殺菌ランプが備えられ得る。
【００２７】
前記加湿空気流路３５０−１の一側端と他側端は室外と連通するものであり得る。
【００２８】
前記室内空気流路１５０上には前記室内空気を流動させるための第１送風機１３０が備えられ、前記第１送風機１３０の送風ファン１３２を回転させるためのモーター１３１が前記室内空気流路１５０に備えられ、前記室内空気は前記モーター１３１を通過しながら予熱された後、前記ヒーター１４０に供給されるものであり得る。
【００２９】
前記室内空気を流動させるために前記室内空気流路１５０上に備えられた第１送風ファン４４２、前記加湿空気を流動させるために前記加湿空気流路３５０、３５０−１上に備えられた第２送風ファン４４３、前記第１送風ファン４４２と第２送風ファン４４３とを一体に連結するモーター軸４４４、前記モーター軸４４４に連結されて第１送風ファン４４２と第２送風ファン４４３とを一体に回転させるためのモーター４４１からなる第３送風機４４０が備えられ、前記モーター軸４４４は前記室内空気流路１５０と加湿空気流路３５０、３５０−１との間を遮断する隔壁４２０を貫通するものであり得る。
【００３０】
前記モーター４４１は前記室内空気流路１５０に備えられ、前記室内空気は前記モーター４４１を通過しながら予熱された後、前記ヒーター１４０に供給されるものであり得る。
【００３１】
前記加湿空気を流動させるために前記加湿空気流路３５０、３５０−１上には第２送風機３１０が備えられ、前記第２送風機３１０は加湿運転終了後に前記加湿部３３０の内部を乾燥させるために設定された時間の間作動するものであり得る。
【００３２】
前記吸着材の表面には高分子除湿剤がコーティングされたものであり得る。
【発明の効果】
【００３３】
本発明によると、加湿空気流路を流動する加湿空気に水分を供給するための加湿部と加湿ローターおよびヒーターを具備することによって、加湿能力を向上させることができ、加湿量の調節が容易であるため、快適な室内環境を造成することができる。
【００３４】
また、加湿ローターを通過する前後の室内空気の間に熱交換が行われる熱回収熱交換器を具備することによって、ヒーターの消費電力を減少させることができる。
【００３５】
また、加湿空気流路上に液滴分離器を具備して、水滴を分離して気体成分のみを通過させることによって、加湿ローターの吸着材の変形による性能の低下を防止することができる。
【００３６】
また、加湿ローターの吸着領域には水分のみが供給されるので、スケールの発生による加湿性能の低下を防止することができる。
【００３７】
また、室内空気が流動する室内空気流路と加湿ローターは湿っていない環境が形成され、加湿空気流路も運転終了後に乾燥した状態で形成し、紫外線殺菌ランプで殺菌処理することによって、細菌の繁殖を防止することができるため、衛生的な環境を提供することができる。
【図面の簡単な説明】
【００３８】
【図１】本発明の第１実施例による加湿器の構成を示した図面。
【図２】本発明による加湿部の構成を示した図面。
【図３】本発明による第２実施例による加湿器の構成を示した図面。
【図４】本発明による送風機のモーターが室内空気流路に備えられた状態を示した図面。
【図５】本発明による２個の送風機が一つのモーターで構成された状態を示した図面。
【発明を実施するための形態】
【００３９】
以下、添付した図面を参照して本発明の好ましい実施例についての構成および作用を詳細に説明する。
【００４０】
＜第１実施例＞
【００４１】
図１と図２を参照して第１実施例による加湿器について説明する。
【００４２】
本発明による加湿器は、室内から流入した室内空気を再び室内に排出させるための室内空気流路１５０、前記室内空気流路１５０上に備えられて前記室内空気が通過する加湿領域２１０と前記加湿領域２１０に供給する水分を吸着するための吸着領域２２０からなる加湿ローター２００、前記吸着領域２２０に水分を供給する加湿空気が流動する加湿空気流路３５０、前記加湿空気流路３５０を流動する加湿空気に水分を供給するための加湿部３３０、前記加湿ローター２００の回転および加湿部３３０による水分の供給を制御する制御部（図示されず）を含んで構成される。
【００４３】
前記室内空気流路１５０は、前記加湿領域２１０の入口端に連結されて室内空気が流入する流路を形成する第１室内空気流路１５１と、前記加湿領域２１０の出口端に連結されて室内空気が排出される流路を形成する第２室内空気流路１５２からなる。
【００４４】
前記第１室内空気流路１５１には、フィルタ１１０、熱回収熱交換器１２０、第１送風機１３０、ヒーター１４０が順次備えられる。前記熱回収熱交換器１２０は一側と他側が第１室内空気流路１５１と第２室内空気流路１５２にそれぞれ連結される。
【００４５】
前記フィルタ１１０は室内空気流路１５０に流入する室内空気に含まれた異物を濾過させる。
【００４６】
前記第１送風機１３０は室内空気を室内空気流路１５０に吸入するための吸入力を提供するものであって、第１室内空気流路１５１に設置されてもよく、第２室内空気流路１５２に設置されてもよい。
【００４７】
前記ヒーター１４０は第１室内空気流路１５１を通過する室内空気を加熱して加湿ローター２００の加湿領域２１０に加熱された空気を供給する。前記加湿領域２１０では前記加熱された空気によって水分の蒸発量が増加して加湿能力を向上させることができる。
【００４８】
前記加湿領域２１０を通過する空気は加熱された空気であり、加湿領域２１０を通過した後にもやや高い温度の空気となる。したがって、前記熱回収熱交換器１２０は、第２室内空気流路１５２を流動する高い温度の空気と第１室内空気流路１５１を流動する低い温度の空気との間に熱交換が行われるようにすることによって、室内から流入した空気は熱回収熱交換器１２０で１次予熱された後にヒーター１４０に流動することになるので、室内空気を加熱するためのヒーター１４０の消費電力を減少させることができる。
【００４９】
前記加湿ローター２００にはその内部に加湿空気の水分を吸着するための吸着材が備えられる。前記加湿ローター２００は、前記吸着材を利用して加湿空気の水分を吸着するための吸着領域２２０と、前記吸着領域２２０で吸着した水分を蒸発させて室内空気を加湿するための加湿領域２１０と、に分離されている。
【００５０】
前記加湿ローター２００は中央に備えられた軸を中心にして、駆動部（図示されず）により回転するようになっている。
【００５１】
図１に図示された通り、加湿ローター２００が時計回り方向に回転するようになると、吸着領域２２０で吸着材が加湿空気の水分を吸収し、加湿ローター２００がさらに回転すると、加湿領域２１０を通過しながらヒーター１４０により加熱された室内空気によって、吸着した水分が蒸発することによって室内空気に水分を供給するようになる。
【００５２】
前記加湿領域２１０を通過した室内空気は、熱回収熱交換器１２０を通過しながら温度が下がった後に室内に排出されるので、相対的に低い温度の空気の排出によって室内環境の快適度を向上させることができる。
【００５３】
一方、前記吸着材の表面には高分子除湿剤がコーティングされ得る。前記高分子除湿剤（Ｄｅｓｉｃｃａｎｔ  Ｐｏｌｙｍｅｒ）は電解質高分子物質であって、水分と接触時にイオン化されるが、吸着領域２２０の吸着材に水分が接触するとイオンの濃度差による浸透圧現象により細菌が吸着材から除去されるので、坑菌効果を発生させる。また、悪臭を発生させるアンモニアや硫化水素なども極性分子でイオン化された高分子除湿剤に付着して脱臭効果を発生させる。
【００５４】
前記加湿空気流路３５０には、第２送風機３１０、フィルタ３２０、加湿部３３０、液滴分離器３４０が順次備えられる。
【００５５】
前記第２送風機３１０は、前記加湿空気流路３５０上に備えられて加湿空気を吸着領域２２０の入口端に向かって流動させる。
【００５６】
前記フィルタ３２０は吸着領域２２０の出口端と加湿部３３０との間に備えられ、加湿空気流路３５０を流動する加湿空気に含まれた異物を濾過させる。前記加湿領域２１０を通過する室内空気には異物が含まれ得、吸着材が加湿領域２１０で異物が吸着した後吸着領域２２０に回転するようになると、加湿空気が吸着領域２２０を通過しながら前記異物が加湿空気流路３５０に流入し得る。このような異物は前記フィルタ３２０により濾過されることによって、室内空気から異物を除去すると共に加湿部３３０に異物が流入することを防止することができる。
【００５７】
図２を参照する。前記加湿部３３０は、内部空間３３１ａが前記加湿空気流路３５０と連通するように連結された加湿筒３３１、前記加湿筒３３１の内部空間３３１ａに備えられた加湿フィルタ３３２、前記加湿筒３３１に水を供給するための供給水槽３３５、前記加湿筒３３１から排出された水を貯蔵するための排水水槽３３８、前記加湿筒３３１と供給水槽３３５との間を連結する供給配管３３３に備えられた供給バルブ３３４、前記加湿筒３３１と排水水槽３３８との間を連結する排水配管３３６に備えられた排水バルブ３３７で構成される。
【００５８】
前記加湿筒３３１の内部には水が所定の水位で満たされており、前記加湿フィルタ３３２は前記水に下端の一部が浸漬するように備えられている。前記加湿フィルタ３３２は従来技術において記載した気化式加湿器の加湿フィルターと同様に構成され得、加湿フィルタ３３２は駆動部（図示されず）により回転するものに構成することができる。
【００５９】
前記吸着領域２２０を通過した加湿空気は加湿筒３３１の内部空間３３１ａに流入した後、加湿フィルタ３３２の表面に付着した水の蒸発によって水分が供給されて加湿空気流路３５０を通じて吸着領域２２０の入口端に流動する。
【００６０】
前記では加湿フィルタ３３２が水に一部が浸漬するものと例示したが、加湿フィルタ３３２に水を噴射するための噴射手段を具備し、前記噴射手段から噴射した水が加湿フィルタ３３２を濡らすものに構成してもよい。
【００６１】
前記加湿筒３３１の水の水位を感知するための水位感知センサ（図示されず）が備えられ得、前記加湿筒３３１に前記水を供給するための供給バルブ３３４と供給水槽３３５が水供給部３３４、３３５として機能する。したがって、前記水位感知センサーで測定された水位に応じて前記水供給部３３４、３３５による水の供給を制御することによって、加湿フィルタ３３２が水に浸漬する程度を調節して加湿量を調節することができる。
【００６２】
前記加湿フィルタ３３２に水を噴射する噴射手段を具備する場合には、噴射手段の噴射量を調節することによって、加湿量を調節することができる。
【００６３】
前記供給バルブ３３４は加湿水槽３３５の水を加湿筒３３１に供給するために開閉され、前記排水バルブ３３７は加湿筒３３１の水を排水水槽３３８に排水するために開閉される。
【００６４】
このような構成からなる加湿部３３０を具備すると、加湿量の調節が可能であり、加湿能力を向上させることができるため、快適な室内環境を造成することができる。
【００６５】
前記では加湿水槽３３５と排水水槽３３８を別途の構成で例示したが、加湿水槽３３５と排水水槽３３８を一体化させたもので構成してもよい。また、加湿水槽３３５に水を補充したり、排水水槽３３８の水を捨てるために着脱可能に構成してもよい。
【００６６】
また、加湿水槽３３５と排水水槽３３８の代わりに加湿水ポンプ（図示されず）と排水ポンプ（図示されず）を設置し、前記ポンプにそれぞれホースを連結することによって、加湿水の補充と水の排水が可能であるように構成してもよい。
【００６７】
前記加湿筒３３１と前記吸着領域２２０の入口端との間には前記加湿空気から水滴を分離するための液滴分離器３４０が加湿空気流路３５０上に備えられている。前記加湿ローター２００に備えられた吸着材は、断面の形状がハニカム（ｈｏｎｅｙｃｏｍｂ）状に形成されているが、加湿部３３０で水滴状態の粒子が加湿空気流路３５０を通じて吸着領域２２０に供給されて吸着領域２２０の吸着材に付着すると、吸着材の形状に変形が発生して性能を低下させ得る。したがって、液滴分離器３４０で水滴粒子のみを分離して加湿筒３３１に戻し、気体成分のみを通過させて吸着領域２２０に供給するようにすることによって、加湿ローター２００の性能の低下を防止することができる。
【００６８】
前記加湿空気流路３５０は閉流路で形成され、第２送風機３１０により圧送される加湿空気は吸着領域２２０、フィルタ３２０、加湿筒３３１、液滴分離器３４０を順次経ることによって、繰り返し循環する。
【００６９】
前記加湿空気流路３５０は閉流路で形成されているため、流路の内部に細菌が増殖する恐れがある。したがって、加湿空気流路３５０を紫外線が透過する透明な材質で構成し、加湿空気流路３５０に紫外線を照射する紫外線殺菌ランプを具備することによって、加湿空気流路３５０を衛生的に維持することができる。
【００７０】
前記のような構成からなる加湿器の作用を説明する。
【００７１】
加湿器が稼動すると、第１送風機１３０と第２送風機３１０とヒーター１４０がオン（Ｏｎ）になり、加湿ローター２００は回転する。この場合、加湿部３３０では水に浸漬した加湿フィルタ３３２を回転させるか加湿フィルタ３３２に水を噴射することによって、加湿フィルタ３３２に水分が付着するようにする。
前記加湿フィルタ３３２に水を噴射する場合、噴射される水の量が少ないと加湿フィルタ３３２が乾燥するため、加湿フィルタ３３２の表面にスケールが積もる問題点がある。したがって、前記加湿フィルタ３３２に噴射される水の量を加湿される量より多くし、周期的に噴射量を調節してスケールが積もることを防止することができる。
【００７２】
第２送風機３１０が稼動すると、加湿部３３０で加湿フィルタ３３２に付着した水分が蒸発しながら空気とともに加湿空気流路３５０の内部を流動するようになり、加湿ローター２００の吸着領域２２０を通過しながら加湿空気に含まれた水分は吸着領域２２０の吸着材に付着し、水分が除去された加湿空気はフィルタ３２０を経て加湿部３３０の加湿筒３３１の内部に流動する循環過程が繰り返し行われる。
【００７３】
これと共に第１送風機１３０が稼動すると、第１室内空気流路１５１に流入した室内空気がフィルタ１１０を経て熱回収熱交換器１２０で１次予熱された後にヒーター１４０で加熱され、ヒーター１４０を通過しながら加熱された室内空気は加湿ローター２００の加湿領域２１０を通過するようになる。この場合、加湿領域２１０には吸着領域２２０で水分を吸着した吸着材が回転して位置しているので、前記加熱された室内空気が加湿領域２１０を通過しながら吸着材の水分を蒸発させて加湿された室内空気を形成させる。前記加湿領域２１０を通過した室内空気は、第２室内空気流路１５２を流動して熱回収熱交換器１２０で所定の温度に冷却された後、室内に排出される。
【００７４】
前記のような過程によって加湿運転が行われ、加湿運転終了後運転停止時または一定の時間加湿運転した後には加湿筒３３１の残余水を排水水槽３３８に排水することによって、濃度が高くなった水によって加湿フィルタ３３２または加湿フィルタ３３２を回転させるための駆動部にスケールが積もることを防止することができる。
【００７５】
また、加湿運転終了後に加湿筒３３１の残余水を排水水槽３３８に排水した後、第２送風機３１０を設定された時間の間作動させることによって、加湿筒３３１および加湿空気流路３５０の内部を乾燥させる。このような過程を通じて閉流路である加湿空気流路３５０と加湿筒３３１の内部の残留水分による汚染を防止することができる。
【００７６】
＜第２実施例＞
【００７７】
図３を参照して第２実施例による加湿器について説明する。
【００７８】
第２実施例による加湿器は、加湿空気流路３５０−１が閉流路ではなく室外に連通するもので形成されているという点で第１実施例とは差があり、他の構成はすべて同じである。
【００７９】
前記加湿空気流路３５０−１の一側端と他側端は室外と連通するようになっている。したがって、加湿空気流路３５０−１の一側端を通じて室外空気が流入し、前記流入した室外空気が第１実施例で説明した加湿空気として作用するようになる。前記加湿空気は、加湿部３３０、液滴分離器３４０、第２送風機３１０を順次経て加湿ローター２００の吸着領域２２０を通過した後、再び室外に排出される。このような構成によると加湿空気流路３５０−１の内部に新しい空気が流入して残留水分が発生しないので、汚染の発生が防止される。
【００８０】
＜モーターの発熱の利用構造＞
【００８１】
図４と図５を参照して送風機のモーターの発熱を利用して室内空気を予熱する構造について説明する。
【００８２】
図４を参照する。第１室内空気流路１５１、１５１ａ、１５１ｂ上に第１送風機１３０が備えられている。前記第１送風機１３０は、モーター１３１と、前記モーター１３１により回転する送風ファン１３２で構成される。前記モーター１３１は室内空気が流入する側の第１室内空気流路１５１ａに隣接するように備えられて、前記室内空気が流動しながらモーター１３１で発生する熱を吸収して予熱される。前記送風ファン１３２は室内空気が第１送風機１３０を通過した後に排出される側の第１室内空気流路１５１ｂに隣接するように備えられ、送風ファン１３２の回転によって室内空気を流動させる。
前記送風ファン１３２により第１室内空気流路１５１ｂに流動する室内空気は、モーター１３１により１次予熱された後にヒーター１４０に供給されるので、ヒーター１４０の消費電力を減少させることができる。
【００８３】
図５に示された第３送風機４４０は、一つのモーターを利用して２個の送風ファン４４２、４４３を回転させると共に、モーター４４１の発熱を利用して室内空気を予熱する送風部４００が備えられた場合を示したものである。
【００８４】
前記送風部４００は、加湿空気流路３５０、３５０ａ、３５０ｂに連通する加湿空気送風空間４１０、室内空気流路１５０、１５１ａ、１５１ｂに連通する室内空気送風空間４３０、前記加湿空気送風空間４１０と室内空気送風空間４３０の間を遮断する隔壁４２０、前記室内空気送風空間４３０に位置する第１送風ファン４４２と前記加湿空気送風空間４１０に位置する第２送風ファン４４３を一体に回転させるためのモーター４４１からなる第３送風機４４０で構成される。
【００８５】
前記第１送風ファン４４２と第２送風ファン４４３は、隔壁４２０を貫通するモーター軸４４４に一体に連結されており、前記モーター軸４４４はモーター４４１に連結されることによって、第１送風ファン４４２と第２送風ファン４４３は一つのモーター４４１により一体に回転する。したがって、送風機を設置するための空間を減らすことができる。
【００８６】
また、前記モーター４４１は室内空気流路１５０、１５１ａ、１５１ｂに連通する室内空気送風空間４３０に備えられているので、室内空気がモーター４４１を通過しながら予熱された後、ヒーター１４０に供給され、ヒーター１４０の消費電力を減少させることができる。
【００８７】
以上説明した通り、本発明は前述した実施例に限定されず、特許請求の範囲で請求される本発明の技術的思想を逸脱することなく、当該発明が属する技術分野で通常の知識を有する者によって自明な変形実施が可能であり、このような変形実施は本発明の範囲に属する。
【符号の説明】
【００８８】
１１０  フィルタ
１２０  熱回収熱交換器
１３０  第１送風機
１３１  モーター
１３２  送風ファン
１４０  ヒーター
１５０  室内空気流路
１５１  第１室内空気流路
１５２  第２室内空気流路
２００  加湿ローター
２１０  加湿領域
２２０  吸着領域
３１０  第２送風機
３２０  フィルタ
３３０  加湿部
３３１  加湿筒
３３２  加湿フィルタ
３３３  供給配管
３３４  供給バルブ
３３５  加湿水槽
３３６  排水配管
３３７  排水バルブ
３３８  排水水槽
３４０  液滴分離器
３５０、３５０−１  加湿空気流路
４００  送風部
４１０  加湿空気送風空間
４２０  隔壁
４３０  室内空気送風空間
４４０  第３送風機
４４１  モーター
４４２  第１送風ファン
４４３  第２送風ファン
４４４  モーター軸
【図１】
2018534517.tif 000003
【図２】
2018534517.tif 000004
【図３】
2018534517.tif 000005
【図４】
2018534517.tif 000006
【図５】
2018534517.tif 000007
【国際調査報告】
2018534517.tif 000008
2018534517.tif 000009
2018534517.tif 000010
2018534517.tif 000011
2018534517.tif 000012
2018534517.tif 000013